(57)【特許請求の範囲】
【請求項１】
それぞれが５０％のデューティー比で構成された第１及び第２のパルス信号を発生すると共に、前記第１及び第２のパルス信号の内の少なくとも一方の位相を制御し、前記第１及び第２のパルス信号を直接、若しくは差分信号を形成して、間に液晶が設けられて相対する２枚の透明電極に印加し、
前記第１及び第２のパルス信号のキャリア周波数を撮影される複数の映像信号の垂直同期周波数の公倍数とする、液晶駆動方法。
【請求項２】
前記第１及び第２のパルス信号のキャリア周波数を撮影される映像信号の垂直同期周波数の整数倍とする、請求項１記載の液晶駆動方法。
【請求項３】
前記第１及び第２のパルス信号の内の一方の位相を透過光量を変化させるタイミングに対して固定の関係とし、前記第１及び第２のパルス信号の内の一方の位相を制御して前記透過光量を調整する、請求項１または２記載の液晶駆動方法。
【請求項４】
前記２枚の透明電極にそれぞれ前記第１及び第２のパルス信号を印加する出力段構成を同一とする、請求項１〜３のいずれかに記載の液晶駆動方法。
【請求項５】
それぞれが５０％のデューティー比で構成された第１及び第２のパルス信号を発生する手段と、前記第１及び第２のパルス信号の内の少なくとも一方の位相を制御する手段と、前記第１及び第２のパルス信号を直接、若しくは差分信号を形成して、間に液晶が設けられて相対する２枚の透明電極に印加する手段とを設け、
前記第１及び第２のパルス信号のキャリア周波数を撮影される複数の映像信号の垂直同期周波数の公倍数とする、液晶駆動回路。
【請求項６】
前記第１及び第２のパルス信号のキャリア周波数を撮影される映像信号の垂直同期周波数の整数倍とする、請求項５記載の液晶駆動回路。
【請求項７】
前記第１及び第２のパルス信号の内の一方の位相を透過光量を変化させるタイミングに対して固定の関係とし、前記第１及び第２のパルス信号の内の一方の位相を制御して前記透過光量を調整する、請求項５または６記載の液晶駆動回路。
【請求項８】
前記２枚の透明電極にそれぞれ前記第１及び第２のパルス信号を印加する出力段構成を同一とする、請求項５〜７のいずれかに記載の液晶駆動回路。
【請求項９】
相対する２枚の透明電極の間に液晶が設けられてなる光量調整手段を有し、それぞれが５０％のデューティー比で構成された第１及び第２のパルス信号が発生されて直接、若しくは差分信号が形成されて前記２枚の透明電極に印加されると共に、前記第１及び第２のパルス信号の内の少なくとも一方の位相を制御する手段が設けられる、前記第１及び第２のパルス信号のキャリア周波数を撮影される複数の映像信号の垂直同期周波数の公倍数とする、光量調整装置。
【請求項１０】
前記第１及び第２のパルス信号のキャリア周波数を撮影される映像信号の垂直同期周波数の整数倍とする、請求項９記載の光量調整装置。
【請求項１１】
前記第１及び第２のパルス信号の内の一方の位相を透過光量を変化させるタイミングに対して固定の関係とし、前記第１及び第２のパルス信号の内の一方の位相を制御して前記透過光量を調整する、請求項９または１０記載の光量調整装置。
【請求項１２】
前記２枚の透明電極にそれぞれ前記第１及び第２のパルス信号を印加する出力段構成を同一とする、請求項９〜１１のいずれかに記載の光量調整装置。
【発明の詳細な説明】
【０００１】
【発明の属する技術分野】
本発明は、例えば電子カメラ装置の絞り機構に使用して好適な液晶駆動方法及び回路及び光量調整装置に関する。詳しくは、液晶を用いて撮影光量の調整を行う場合に、液晶に対する直流分の印加による液晶の劣化等の障害の発生を防止するものである。
【０００２】
【従来の技術】
ビデオカメラやデジタルスチルカメラ等のいわゆる電子カメラ装置の小型化が進められる中で、絞り機構や調光フィルタ（ＮＤフィルタ）の小型化の必要性が高まっている。ところが、従来の絞り羽根方式やＮＤフィルタを小さくした場合には、回折現象による解像度の劣化の問題が発生してくる。すなわち回折現象による解像度の劣化は以下のようにして起こるものである。
【０００３】
図７において、被写体（図示せず）のある１点７０から出射された光束はレンズ７１を通り平行光となり、例えば絞り羽根７２で構成される光量調整手段７３に入射される。この光量調整手段７３では、例えば絞り羽根７２の開口径が調整されることにより、この光量調整手段７３を通過してレンズ７４に到達する光量が調整されるものである。そしてこのレンズ７４に到達した光束は集光されてイメージャ７５上に到達し、撮像が行われる。
【０００４】
すなわち絞り羽根７２は、例えば三角形の切り欠きの設けられた２枚の板体７２ａ、７２ｂで構成される。そしてこれらの板体７２ａ、７２ｂが例えばモータ７６によって上下に移動されることにより、三角形の切り欠きによって形成される矩形の開口径が調整される。従ってこの絞り羽根７２に妨げられた光束は進行を遮断され、妨げられていない光束は直進することにより光量が調整されるものである。
【０００５】
ところがこの構成で、光量調整手段７３に入射される光束の中で絞り羽根７２の縁に当たった光は回折現象によって、例えば図中の符号７７に示すような散乱光となる。そしてこの散乱光７７の一部はレンズ７４によって、絞り羽根７２に妨げられなかった本来の光束とは異なるイメージャ７５上の位置に到達し、その位置での本来の光束と一緒に撮像されて本来の光束に対する結像性能を劣化させることになる。
【０００６】
なおこの結像性能の劣化の度合は、光量調整手段７３の開口部を通る光量と、開口部の縁で散乱される光量の比によって決まるため、光学系を小型化して開口径が小さくなる程、解像度の劣化は増すものである。すなわち開口部の形状を円と近似した時の劣化の度合は、円を半径ｒとして次式のようになる。
劣化の度合∝（開口部の周）÷（開口部の面積）＝２πｒ÷πｒ2 ＝２／ｒ
このように開口径ｒが小さい程、劣化の度合は増すことになる。
【０００７】
【発明が解決しようとする課題】
このような開口径ｒの小型化の問題を解決する手段として、液晶を用いた光量調整手段が考案されている。すなわち図８には、本発明の制御対象となる液晶を用いた光量調整手段の形態を示す。この図８において、液晶を用いた光量調整手段では、液晶８０は２枚のガラス板８１ａ、８１ｂによって形成される数μｍ〜数十μｍの間隙に封止されており、この間隙に配向膜８２ａ、８２ｂと透明電極８３ａ、８３ｂが配置されている。
【０００８】
そして２つの透明電極８３ａ、８３ｂ間に電位差がない時は、液晶分子の配向は、液晶分子と配向膜、及び液晶分子同士の分子間力により決まる。また、透明電極８３ａ、８３ｂ間に電位差がある時は、液晶分子は分極し透明電極８３ａ、８３ｂ間の電界との間でクーロン力が発生する。さらにこのクーロン力と上述の分子間力との釣り合いにより配向が決まるため、通電状態を変えて電界を調節することによって液晶分子の配向を制御することができる。
【０００９】
従って液晶を用いた光量調整手段では、液晶分子の配向の変化に伴って透過率が変化されるので、透明電極８３ａ、８３ｂ間の電位差を変えることにより、光量の透過率を制御することができる。なお、ここで用いる液晶分子は自発分極をもたず外部電極によって分極するため、外部電界の方向と液晶分子の分極容易軸が一致したときクーロンポテンシャルが最小となり、配向方向は電界の向きによらないものである。
【００１０】
このように液晶を用いた光量調整手段では、透明電極８３ａ、８３ｂに印加される電圧の絶対値が配向を決めるので、印加電圧の実効値が光量調整手段の透過率と関数関係になっている。そしてこのような液晶を用いた光量調整手段では、液晶は有効径内の透過率が均一でこれを連続的に調節できるため、上述の回折現象による解像度の劣化を生じることなく、光量の調整を行うことができるものである。
【００１１】
ところがこのような液晶を用いた光量調整手段において、液晶に印加される駆動電圧を長時間平均した値が０Ｖでないと、すなわち液晶に印加される駆動電圧に直流分があると、液晶に含まれる不純物が電極に析出する恐れがある。そしてこのような不純物の析出によって透過率の劣化や分光特性の悪化を招き、製品の寿命を短くする原因となってしまう。
【００１２】
すなわちイオンとなって溶媒に溶けている不純物は、透明電極８３ａ、８３ｂ間に電位差がある時、クーロン力によって一方の透明電極に引き寄せられる。しかしこの移動のスピードは非常にゆっくりとしたものであるため、数百Ｈｚ以上の周波数で電位が切り替わっている場合には不純物が透明電極に到達して析出されることはない。
【００１３】
ところが駆動電圧に直流分が生じた場合には、イオンとなって溶媒に溶け込んでいた不純物は一方の電極に達して電極との間で電荷の授受が行われて、固体あるいは気体となる。ここで少量の気体は再び溶媒に溶けるので問題ないが、固体となって透明電極に析出した不純物は、透明電極に付着したままとなって透明度を悪化させる原因となるものである。
【００１４】
そしてこのような液晶を用いた光量調整手段を、カメラ装置の絞り機構に使用する場合には、透過率や分光特性に対する要求は従来の表示装置としての用途に比べて厳しく、その劣化や悪化は致命的な問題となる。このため従来のカメラ装置の絞り機構においては、液晶を用いた光量調整手段を採用することは極めて困難とされていた。
【００１５】
この出願はこのような点に鑑みて成されたものであって、解決しようとする問題点は、従来の装置では、駆動電圧に直流分が生じた場合に不純物が透明電極に析出して透明度を悪化させるなどの恐れがあり、このような液晶を用いた光量調整手段をカメラ装置の絞り機構に採用することが極めて困難とされていたというものである。
【００１６】
【課題を解決するための手段】
このため本発明においては、５０％のデューティー比で構成された第１及び第２のパルス信号の内の少なくとも一方の位相を制御して２枚の透明電極にそれぞれ印加する。そして、前記第１及び第２のパルス信号のキャリア周波数を撮影される複数の映像信号の垂直同期周波数の公倍数とする。
【００１７】
【発明の実施の形態】
すなわち本発明の液晶駆動方法においては、それぞれが５０％のデューティー比で構成された第１及び第２のパルス信号を発生すると共に、第１及び第２のパルス信号の内の少なくとも一方の位相を制御し、第１及び第２のパルス信号を直接、若しくは差分信号を形成して、間に液晶が設けられる相対する２枚の透明電極に印加してなるものである。
【００１８】
また、本発明の液晶駆動回路においては、それぞれが５０％のデューティー比で構成された第１及び第２のパルス信号を発生する手段と、第１及び第２のパルス信号の内の少なくとも一方の位相を制御する手段と、第１及び第２のパルス信号を直接、若しくは差分信号を形成して、間に液晶が設けられる相対する２枚の透明電極に印加する手段とを設けてなるものである。
【００１９】
さらに本発明の光量調整装置においては、相対する２枚の透明電極の間に液晶が設けられてなる光量調整手段を有し、それぞれが５０％のデューティー比で構成された第１及び第２のパルス信号が発生されて直接、若しくは差分信号が形成されて２枚の透明電極に印加されると共に、第１及び第２のパルス信号の内の少なくとも一方の位相を制御する手段が設けられてなるものである。
【００２０】
以下、図面を参照して本発明を説明するに、図１は本発明による液晶駆動方法及び回路及び光量調整装置を適用した電子カメラ装置の絞り機構の一実施形態を示す構成図である。
【００２１】
図１において、被写体（図示せず）のある１点１０から出射された光はレンズ１１を通り平行光となり、例えば液晶２０を用いた光量調整手段１２に入射される。この光量調整手段１２では、例えば液晶２０の透過率が調整されることにより、この光量調整手段１２を通過してレンズ１３に到達する光量が調整されるものである。そしてこのレンズ１３に到達した光束は集光されてイメージャ１４上に到達し、撮像が行われる。
【００２２】
すなわち上述の液晶２０を用いた光量調整手段１２では、液晶２０は２枚のガラス板２１ａ、２１ｂによって形成される数μｍ〜数十μｍの間隙に封止されている。さらにこのガラス板２１ａ、２１ｂの間隙には、配向膜２２ａ、２２ｂと透明電極２３ａ、２３ｂが配置され、これらの透明電極２３ａ、２３ｂの間に任意の電圧が印加される構成が設けられる。
【００２３】
そして２つの透明電極２３ａ、２３ｂ間に電位差がない時は、液晶分子の配向は、液晶分子と配向膜、及び液晶分子同士の分子間力により決まる。また、透明電極２３ａ、２３ｂ間に電位差がある時は、液晶分子は分極し透明電極２３ａ、２３ｂ間の電界との間でクーロン力が発生する。さらにこのクーロン力と上述の分子間力との釣り合いにより配向が決まるため、通電状態を変えて電界を調節することによって液晶分子の配向を制御することができる。
【００２４】
従って液晶２０を用いた光量調整手段１２では、液晶分子の配向の変化に伴って透過率が変化されるので、透明電極２３ａ、２３ｂ間の電位差を変えることにより、光量の透過率を制御することができる。なお、ここで用いる液晶分子は自発分極をもたず外部電極によって分極するため、外部電界の方向と液晶分子の分極容易軸が一致したときクーロンポテンシャルが最小となり、配向方向は電界の向きによらないものである。
【００２５】
さらにこのように液晶２０を用いた光量調整手段１２では、透明電極２３ａ、２３ｂに印加される電圧の絶対値が配向を決めるので、印加電圧の実効値が光量調整手段の透過率と関数関係になっている。そしてこのような液晶２０を用いた光量調整手段１２では、液晶２０は有効径内の透過率が均一でこれを連続的に調節できるため、上述の回折現象による解像度の劣化を生じることなく、光量の調整を行うことができる。
【００２６】
そしてこの装置において、透明電極２３ａ、２３ｂに対する電圧の印加が以下に説明する回路によって行われる。すなわち図１において、任意のクロック信号で駆動されるカウンタ１が設けられ、このカウント値が比較器２、３、４に供給される。また、比較器２にはカウンタ１でのカウント値の最大値の１／２となる固定値Ａが供給され、比較器３、４には任意の可変値Ｂ、Ｃが供給される。なおこれらの可変値Ｂ、Ｃの差が、固定値Ａとされる（Ｃ−Ｂ＝Ａ）。
【００２７】
ここで比較器２からは、カウント値が固定値Ａより大きいときに高電位の第１のパルス信号が取り出される。また、比較器３からは、カウント値が可変値Ｂより大きいときに高電位の出力が取り出され、比較器４からは、カウント値が可変値Ｃより小さいときに高電位の出力が取り出される。そしてこの比較器３、４の出力がアンド回路５に供給されて、これらの出力が共に高電位の期間に高電位となる第２のパルス信号が形成される。
【００２８】
さらに透明電極２３ａ、２３ｂに電圧を印加する出力段として、それぞれ電源Ｖｃｃと接地との間に直列接続されたＣ−ＭＯＳ素子６ａ、６ｂ、７ａ、７ｂが設けられる。そして比較器２の出力信号が素子６ａのゲートに供給されると共に、比較器２の出力信号がインバータ８を通じて素子６ｂのゲートに供給される。またアンド回路５の出力信号が素子７ａのゲートに供給されると共に、アンド回路５の出力信号がインバータ９を通じて素子７ｂのゲートに供給される。
【００２９】
これによってこの装置において、カウンタ１でのカウント値は、例えば図２のＡに示すような鋸歯状の波形となっている。これに対して、その最大値の１／２となる固定値Ａと比較された比較器２の出力は、例えば図２のＢに示すような５０％のデューティー比で構成された第１のパルス信号となる。すなわちカウンタ１のカウント値は最大値で“０”にリセットされるので、その１／２の値で比較することにより、デューティー比５０％の第１のパルス信号が形成される。
【００３０】
一方、任意の可変値Ｂ、Ｃと比較された比較器３、４の出力は、それぞれ図２のＣ、Ｄに示すようになる。ここで可変値Ｂ、Ｃの差が固定値Ａ（＝最大値の１／２）であることから、アンド回路５の出力信号は、図２のＥに示すような５０％のデューティー比で構成された第２のパルス信号となる。そしてこの場合に、第２のパルス信号の位相は、可変値Ｂ、Ｃの値に応じて任意に設定することができるものである。なお図中には３つの設定が示されている。
【００３１】
さらにこれらの第１及び第２のパルス信号がそれぞれ透明電極２３ａ、２３ｂに印加されることによって、これらの透明電極２３ａ、２３ｂ間には、第１及び第２のパルス信号の極性が異なるときに電位差が形成される。すなわち例えば図２のＦに示すように、第１のパルス信号が高電位で第２のパルス信号が低電位のときに透明電極２３ａ、２３ｂ間に正電圧が印加され、逆に第１のパルス信号が低電位で第２のパルス信号が高電位のときに負電圧が印加される。
【００３２】
それと共に、これらの電圧の印加時間が可変値Ｂ、Ｃの値に応じて変化され、例えば図２のＦに示すように、可変値Ｂ、Ｃの値が大きくされると電圧の印加時間が短くなり、可変値Ｂ、Ｃの値が小さくされると電圧の印加時間が長くなる。そしてこの電圧の印加時間の長さに応じて印加電圧の実効値が変化され、この実効値に応じて液晶２０の配向が変化される。さらに液晶分子の配向の変化に伴って透過率が変化されて光量調整手段１２の透過率が制御される。
【００３３】
そしてこの透明電極２３ａ、２３ｂ間に印加される電圧は、第１及び第２のパルス信号が共に５０％のデューティー比で構成されているので、対になるそれぞれの負電圧と正電圧の印加時間が等しくなる。このためこれらの印加時間の差によって直流成分の発生されることがない。また上述の可変値Ｂ、Ｃの切り替えのタイミングをカウンタ１のリセットのタイミングに合わせることによって、対になるパルス間の変動も生じることがない。
【００３４】
さらに電圧を印加する出力段の構成がＣ−ＭＯＳ素子６ａ、６ｂ、７ａ、７ｂによって全く等しく形成されるので、例えば１チップのＬＳＩデジタル形成した場合には、Ｃ−ＭＯＳ素子を形成するＦＥＴ性能の製造ばらつき等によって２チャンネル間に差異が発生することがなく、印加される負電圧と正電圧の大きさも等しくなる。このためこれらの電位の差によって、透明電極２３ａ、２３ｂ間に印加される電圧に直流成分の発生されることもない。
【００３５】
すなわちこの装置において、液晶２０に印加される電圧に直流成分の発生されることがないので、イオンとなって溶媒に溶けている不純物がクーロン力によって一方の透明電極に引き寄せられることがない。従って引き寄せられた不純物が電極との間で電荷の授受が行われ固体となり、透明電極に析出した不純物が透明電極に付着したままとなって、透明度を悪化させるなどの原因となるようなことがない。
【００３６】
従ってこの実施形態において、５０％のデューティー比で構成された第１及び第２のパルス信号の内の少なくとも一方の位相を制御して２枚の透明電極にそれぞれ印加するようにしたことによって、液晶の駆動電圧に直流分が生じることがなく、不純物が透明電極に析出することのない安定した液晶を用いた光量調整手段の制御を行うことができる。
【００３７】
これによって、従来の装置では、駆動電圧に直流分が生じた場合に不純物が透明電極に析出して透明度を悪化させるなどの恐れがあり、このような液晶を用いた光量調整手段をカメラ装置の絞り機構に採用することが極めて困難とされていたものを、本発明によればこれらの問題点を容易に解消することができるものである。
【００３８】
さらに上述の実施形態においては、例えば図３に示す光量調整手段１２に対して、信号源３１から図４のＡ、Ｂに示すようなパルス信号が透明電極２３ａ、２３ｂ間に印加される。ここで液晶２０の配向の周波数特性は図４のＡ、Ｂの波形の周波数に比べて充分に低く数十Ｈｚしかないため、印加電圧のデューティー比を変えることによって電圧の実効値を変化させ、透過率を制御することができる。あるいは図４のＢに示す波形を用いて、パルスの電圧値を変えることで透過率を制御することも可能である。
【００３９】
また、例えばイメージャとしてＣＣＤを用いたビデオカメラやデジタルスチルカメラにおいては、露光が１０Ｈｚ〜１００Ｈｚのある固定の周期で行われ、光量の調節もこの周期で行われる。この周期は例えばビデオカメラでは、ＮＴＳＣ方式では６０Ｈｚ、ＰＡＬ方式では５０Ｈｚであり、これらに同期させて光量を制御する。このため例えば図５に示すように、液晶の駆動電圧のデューティーも信号方式によって、６０Ｈｚまたは５０Ｈｚに切り替えることになる。
【００４０】
なお、例えばＮＴＳＣ方式のカメラで１ｋＨｚのキャリア周波数で液晶を駆動すると、デューティーの切り替わりが波形の途中で起こり、切り替わりの直前の波形の正電圧の印加時間と、負電圧の印加時間が異なるため直流分が残留することになる。そこでキャリア周波数を６０Ｈｚの整数倍にすることにより、このような不具合を解消することができる。さらに６０Ｈｚと５０Ｈｚの公倍数にすることにより、ＮＴＳＣ方式とＰＡＬ方式のいずれでも使用することができる。
【００４１】
すなわち上述の装置において、液晶に印加されるパルス信号のキャリア周波数は、次の条件を満足するように定められる。
▲１▼光量変化のちらつき（フリッカー）が見えない程度に高い周波数であること。
▲２▼透明電極間の電荷容量によるインピーダンスが充分大きくなる程度に低い周波数であること。
▲３▼デューティーの切り替えに伴う直流成分が発生しないよう６０Ｈｚと５０Ｈｚの公倍数にすること。
【００４２】
ところで上述の実施形態においては、図６のＡに示すように、光量調整手段１２に対して、Ｄ／Ａ変換器６１、６２からの第１及び第２のパルス信号が、アンプ６３、６４を通じて透明電極２３ａ、２３ｂ間に印加されている。そこでこの場合に、２つのパルス波形間の位相を固定にして、波形の振幅を変えることによっても、光量調整の切り替えのタイミングと駆動パルスの位相関係を一定にしたまま実効値を変化させることができる。
【００４３】
また、図６のＢに示すように、２つの透明電極のうち片方の電極の電位を他方の電極の中点電圧に固定することによって、一方の電極の電位のみをパルス駆動する回路でも、デューティー比の変化による光量調節も電圧振幅の変化による光量調節も可能である。すなわちこの回路では、Ｄ／Ａ変換器６５からのパルス信号がアンプ６６を通じて透明電極２３ａに印加されると共に、直流電圧源６７からの中点電圧が透明電極２３ｂに印加される。
【００４４】
こうして上述の液晶駆動方法によれば、それぞれが５０％のデューティー比で構成された第１及び第２のパルス信号を発生すると共に、第１及び第２のパルス信号の内の少なくとも一方の位相を制御し、第１及び第２のパルス信号を直接、若しくは差分信号を形成して、間に液晶が設けられる相対する２枚の透明電極に印加することにより、液晶の駆動電圧に直流分が生じることがなく、不純物が透明電極に析出することのない安定した液晶を用いた光量調整手段の制御を行うことができるものである。
【００４５】
また、上述の液晶駆動回路によれば、それぞれが５０％のデューティー比で構成された第１及び第２のパルス信号を発生する手段と、第１及び第２のパルス信号の内の少なくとも一方の位相を制御する手段と、第１及び第２のパルス信号を直接、若しくは差分信号を形成して、間に液晶が設けられる相対する２枚の透明電極に印加する手段とを設けることにより、液晶の駆動電圧に直流分が生じることがなく、不純物が透明電極に析出することのない安定した液晶を用いた光量調整手段の制御を行うことができるものである。
【００４６】
さらに上述の光量調整装置によれば、相対する２枚の透明電極の間に液晶が設けられてなる光量調整手段を有し、それぞれが５０％のデューティー比で構成された第１及び第２のパルス信号が発生されて直接、若しくは差分信号が形成されて２枚の透明電極に印加されると共に、第１及び第２のパルス信号の内の少なくとも一方の位相を制御する手段が設けられることにより、液晶の駆動電圧に直流分が生じることがなく、不純物が透明電極に析出することのない安定した液晶を用いた光量調整手段の制御を行うことができるものである。
【００４７】
なお本発明は、上述の説明した実施の形態に限定されるものではなく、本発明の精神を逸脱することなく種々の変形が可能とされるものである。
【００４８】
【発明の効果】
従って請求項１の発明によれば、５０％のデューティー比で構成された第１及び第２のパルス信号の内の少なくとも一方の位相を制御して２枚の透明電極にそれぞれ印加するようにしたことによって、液晶の駆動電圧に直流分が生じることがなく、不純物が透明電極に析出することのない安定した液晶を用いた光量調整手段の制御を行うことができる。さらに、第１及び第２のパルス信号のキャリア周波数を撮影される複数の映像信号の垂直同期周波数の公倍数とすることによって、複数の映像信号の垂直同期周波数に対しても光量調整の切り替え時の不具合もなくすことができるものである。
【００４９】
また、請求項２の発明によれば、第１及び第２のパルス信号のキャリア周波数を撮影される映像信号の垂直同期周波数の整数倍とすることによって、光量調整の切り替え時の不具合もなくすことができるものである。
【００５１】
また、請求項３の発明によれば、第１及び第２のパルス信号の内の一方の位相を透過光量を変化させるタイミングに対して固定の関係とし、第１及び第２のパルス信号の内の一方の位相を制御して透過光量を調整することによって、液晶に印加させる電圧の直流成分が発生されないようにすることができるものである。
【００５２】
また、請求項４の発明によれば、２枚の透明電極にそれぞれ第１及び第２のパルス信号を印加する出力段構成を同一とすることによって、回路のばらつきによる直流成分が発生されないようにすることができるものである。
【００５３】
さらに請求項５の発明によれば、５０％のデューティー比で構成された第１及び第２のパルス信号の内の少なくとも一方の位相を制御して２枚の透明電極にそれぞれ印加するようにしたことによって、液晶の駆動電圧に直流分が生じることがなく、不純物が透明電極に析出することのない安定した液晶を用いた光量調整手段の制御を行うことができるものである。
また、第１及び第２のパルス信号のキャリア周波数を撮影される複数の映像信号の垂直同期周波数の公倍数とすることによって、複数の映像信号の垂直同期周波数に対しても光量調整の切り替え時の不具合もなくすことができるものである。
【００５４】
また、請求項６の発明によれば、第１及び第２のパルス信号のキャリア周波数を撮影される映像信号の垂直同期周波数の整数倍とすることによって、光量調整の切り替え時の不具合もなくすことができるものである。
【００５６】
また、請求項７の発明によれば、第１及び第２のパルス信号の内の一方の位相を透過光量を変化させるタイミングに対して固定の関係とし、第１及び第２のパルス信号の内の一方の位相を制御して透過光量を調整することによって、液晶に印加させる電圧の直流成分が発生されないようにすることができるものである。
【００５７】
また、請求項８の発明によれば、２枚の透明電極にそれぞれ第１及び第２のパルス信号を印加する出力段構成を同一とすることによって、回路のばらつきによる直流成分が発生されないようにすることができるものである。
【００５８】
さらに請求項９の発明によれば、５０％のデューティー比で構成された第１及び第２のパルス信号の内の少なくとも一方の位相を制御して２枚の透明電極にそれぞれ印加するようにしたことによって、液晶の駆動電圧に直流分が生じることがなく、不純物が透明電極に析出することのない安定した液晶を用いた光量調整手段の制御を行うことができるものである。
また、第１及び第２のパルス信号のキャリア周波数を撮影される複数の映像信号の垂直同期周波数の公倍数とすることによって、複数の映像信号の垂直同期周波数に対しても光量調整の切り替え時の不具合もなくすことができるものである。
【００５９】
また、請求項１０の発明によれば、第１及び第２のパルス信号のキャリア周波数を撮影される映像信号の垂直同期周波数の整数倍とすることによって、光量調整の切り替え時の不具合もなくすことができるものである。
【００６１】
また、請求項１１の発明によれば、第１及び第２のパルス信号の内の一方の位相を透過光量を変化させるタイミングに対して固定の関係とし、第１及び第２のパルス信号の内の一方の位相を制御して透過光量を調整することによって、液晶に印加させる電圧の直流成分が発生されないようにすることができるものである。
【００６２】
また、請求項１２の発明によれば、２枚の透明電極にそれぞれ第１及び第２のパルス信号を印加する出力段構成を同一とすることによって、回路のばらつきによる直流成分が発生されないようにすることができるものである。
【００６３】
これによって、従来の装置では、駆動電圧に直流分が生じた場合に不純物が透明電極に析出して透明度を悪化させるなどの恐れがあり、このような液晶を用いた光量調整手段をカメラ装置の絞り機構に採用することが極めて困難とされていたものを、本発明によればこれらの問題点を容易に解消することができるものである。
【図面の簡単な説明】
【図１】本発明による液晶駆動方法及び回路及び光量調整装置を適用した電子カメラ装置の絞り機構の一実施形態を示す構成図である。
【図２】その動作の説明のための波形図である。
【図３】その説明のための図である。
【図４】その説明のための図である。
【図５】その説明のための図である。
【図６】他の実施形態の説明のための構成図である。
【図７】従来の光量調整装置を適用した電子カメラ装置の絞り機構を示す構成図である。
【図８】液晶を用いた光量調整手段の構成図である。
【符号の説明】
１…任意のクロック信号で駆動されるカウンタ、２，３，４…比較器、５…アンド回路、６ａ，６ｂ，７ａ，７ｂ…Ｃ−ＭＯＳ素子、８，９…インバータ、１０…点、１１，１３…レンズ、１２…光量調整手段、１４…イメージャ、２０…液晶、２１ａ，２１ｂ…ガラス板、２２ａ，２２ｂ…配向膜、２３ａ、２３ｂ…透明電極
【図１】
0004759875.tif 000002
【図２】
0004759875.tif 000003
【図３】
0004759875.tif 000004
【図４】
0004759875.tif 000005
【図５】
0004759875.tif 000006
【図６】
0004759875.tif 000007
【図７】
0004759875.tif 000008
【図８】
0004759875.tif 000009